(57)【要約】【課題】自動販売機の扉用ヒンジ装置について、堅牢で高い防盗性が確保できるようにヒンジ構造を改良する。【解決手段】本体１の前面に配したメイン扉２をヒンジプレート１０，ヒンジ軸１１を介して枢支する扉用ヒンジ装置において、ヒンジプレートを本体の内側に固定してその先端部１０ａをメイン扉の内側に引き込むとともに、扉側にはヒンジプレートの先端部を上下から覆うように断面コ字形のヒンジカバー（厚肉鋼板製）１３を溶接し、ここにヒンジ軸（ボルト）１１をねじ込んでヒンジプレートの軸穴に通し、またヒンジ軸とヒンジプレートの軸穴との間には補強カラー１４を遊嵌し、さらにヒンジの下方を覆い隠すようにして排水樋兼用の防盗カバー１５を設ける。【選択図】      図１
2004213513.tif 000002
【特許請求の範囲】
【請求項１】
自動販売機の本体前面に配した片開き式メイン扉を枢支する扉用ヒンジ装置であり、軸穴を穿孔した先端部を前方に突き出して本体の天板側にヒンジプレートを固定し、該ヒンジプレートの軸穴に通したヒンジ軸を介してメイン扉の上部を本体にヒンジ結合したものにおいて、
前記ヒンジプレートを本体の内側に固定してその先端部をメイン扉の内側に引き込むとともに、メイン扉の内側には前記ヒンジプレートの先端部を上下から覆う断面コ字形のヒンジカバーを溶接し、かつヒンジ軸をボルトとした上で、前記ヒンジカバーにボルトをねじ込み固定してメイン扉を枢支したことを特徴とする自動販売機の扉用ヒンジ装置。
【請求項２】
請求項１に記載の扉用ヒンジ装置において、ヒンジ軸のボルト外周に補強カラーを遊嵌し、該補強カラーをヒンジプレートの先端部に穿孔した軸穴に嵌挿してその上下面をヒンジカバーで覆ったことを特徴とする自動販売機の扉用ヒンジ装置。
【請求項３】
請求項２に記載の扉用ヒンジ装置において、補強カラーは焼入れ表面硬化処理されていることを特徴とする自動販売機の扉用ヒンジ装置。
【請求項４】
請求項１に記載の扉用ヒンジ装置において、メイン扉に、ヒンジ軸のボルトを伝わって扉内に滴下するドレンを受けて外部に導く排水樋兼用の防盗カバーを設けたことを特徴とする自動販売機の扉用ヒンジ装置。
【発明の詳細な説明】
【０００１】
【発明の属する技術分野】
本発明は、自動販売機の本体前面に配した片開き式メイン扉の扉用ヒンジ装置に関する。
【０００２】
【従来の技術】
まず、図７（ａ）  〜（ｃ）  に頭記した自動販売機の外観を示す。図において、１は庫内に商品収納ラックを搭載した断熱筐体になる自動販売機の本体、２は本体１の前面に配した片開き式のメイン扉であり、メイン扉２はその吊り側（左側端）の上，下端部がヒンジ３およびヒンジ４を介して本体１に枢支連結されている。
なお、５はメイン扉２に設けた商品ディスプレイ室、６は商品取出口、７，８は扉の裏面側に装備したコイン機構，ビルバリデータに通じるコイン投入口，紙幣挿入口、９は扉の吊り側と反対側（右端）に設けた扉ロックである。
【０００３】
次に、前記したメイン扉２の上端部を枢支する上部側のヒンジ３について、従来から実施されている構造を図８（ａ），（ｂ）  に示す。すなわち、上部側のヒンジ３は、本体１の天板上面に取付けた強じん鋼で作られたヒンジプレート１０と、ヒンジプレート１０の先端部１０ａに植設してメイン扉２の扉枠上面に嵌挿したヒンジ軸（強じん鋼で作られたボルトあるいはピン）１１からなり、ヒンジプレート１０はボルト１２およびナット１２ａを介して本体１の天板上面に強固に固着されている。また、ヒンジ軸１１はヒンジプレート１０の先端部１０ａに穿孔した軸穴に圧入してかしめ止めするか，もしくはヒンジ軸の頭部をヒンジプレート１０に溶接して抜けないように固着し、さらにヒンジ軸１１を焼入れして表面硬化するようにしている（例えば、特許文献１参照。）。
【０００４】
しかしながら、前記のヒンジ構造では、ヒンジプレート１０，ヒンジ軸１１が本体１の天板上面に露呈しており、かつヒンジプレートの先端部１０ａとメイン扉２の上面との間に多少の遊び間隙が残っていることから、この隙間にバールなどをコジ入れてヒンジ軸１１を引き抜く、あるいはグラインダー，電動鋸などの工具を使ってヒンジ軸１１を切断し、メイン扉を外して機内から金銭を盗み出すといった盗難の手口に対して、特に上部側のヒンジ３が破壊行為を受け易いといった問題がある。
そこで、外部から上部側のヒンジを直接破壊できないようにする防盗対策として、ヒンジプレートおよびヒンジ軸を本体，メイン扉の内側に配置して外部に露呈させないようにした構成が、本発明と同一出願人より特願２００１        １８１５４５号として先に提案されている。
【０００５】
【特許文献１】
特開平１０−１６９２９０号公報
【０００６】
【発明が解決しようとする課題】
ところで、前記出願のようにヒンジプレートおよびヒンジ軸を、自動販売機の本体，メイン扉の内側に配置して外部に露呈しないようにした構成でも防盗面で次記のような弱点が残る。すなわち、メイン扉は薄鋼板の板金製で、かつ扉前面には図７のようにディスプレイ室５を画成してここに電照板をはめ込んでおり、このディスプレイ室の電照板は簡単に壊すことが可能である。そのために、前記ディスプレイ室の電照板を破ってディスプレイ室の内壁を破壊すると、扉内部のヒンジ部分が剥き出しになるので、さほど労力を要さずにヒンジ軸を切断あるいは抜き取ってメイン扉を取り外す盗難手口の被害を受け易い。
【０００７】
本発明は上記の点に鑑みなされたものであり、その目的は従来構造の弱点部分を補強し、堅牢で高い防盗性が確保できるように改良した扉用ヒンジ装置を提供することにある。
【０００８】
【課題を解決するための手段】
上記目的を達成するために、本発明によれば、自動販売機の本体前面に配した片開き式メイン扉を枢支する扉用ヒンジ装置であり、軸穴を穿孔した先端部を前方に突き出して本体の天板側にヒンジプレートを固定し、該ヒンジプレートの軸穴に通したヒンジ軸を介してメイン扉の上部を本体にヒンジ結合したものにおいて、
前記ヒンジプレートを本体の内側に固定してその先端部をメイン扉の内側に引き込むとともに、メイン扉の内側には前記ヒンジプレートの先端部を上下から覆う断面コ字形のヒンジカバーを溶接し、かつヒンジ軸をボルトとした上で、前記ヒンジカバーにボルトをねじ込み固定してメイン扉を枢支する（請求項１）。
【０００９】
上記のように、ヒンジプレートの先端部，およびその軸穴に嵌挿したヒンジ軸のボルトを、厚肉な鋼板をコ字形に曲げ加工したヒンジカバーで上下から覆い、かつこのヒンジカバーをメイン扉の内側に溶接したことにより、例えメイン扉のディスプレイ室が部分的に破られたとしても、ヒンジプレートの先端部およびヒンジ軸の周囲が堅牢なヒンジプレートでガードされているので、グラインダー，電動鋸などで簡単に切断することができず、かつヒンジ軸をボルトとしてヒンジカバーにねじ込み固定したので、バールなど使っても簡単に抜き取ることができず、これにより従来構造と比べて防盗性の向上化が図れる。
【００１０】
また、本発明によれば、前記構造を基本とした実施態様として、防盗性の一層の強化を図るために次記のような構成がある。
（１）  ヒンジ軸に補強カラーを遊嵌した上で、該補強カラーをヒンジプレートの先端部に穿孔した軸穴に嵌挿してその上下面をヒンジカバーで覆うものとし（請求項２）、その補強カラーを表面硬化処理する（請求項３）。
上記の構成によれば、例えヒンジカバーの上下板の間にグラインダー，電動鋸などを差し込んでヒンジ軸を切断しようとしても、刃先が補強カラーに当たって空回するのでヒンジ軸は切断されない。しかも、補強カラーを焼入れ表面硬化処理しておくことで一層強化される。
【００１１】
（２）  メイン扉に、ヒンジ軸を伝わって扉内に滴下するドレンを受けて外部に導く排水樋兼用の防盗カバーを設ける（請求項４）。
上記のように、ヒンジ軸を下方から覆うように排水樋兼用の防盗カバーを設けることにより、外部から浸入してヒンジ軸から扉内方に滴下する雨水の排水機能の確保と併せて、例えメイン扉のディスプレイ室の電照板が破られても、前記の防盗カバーが邪魔をしてヒンジを簡単に破壊することができない。
【００１２】
【発明の実施の形態】
以下、本発明の実施の形態を図１〜図６に示す実施例に基づいて説明する。なお、各実施例の図中で図７，図８に対応する部材には同じ符号を付してその説明は省略する。
まず、図１に上部側ヒンジ３を組付けてメイン扉２を本体１に枢支した状態の組立構造を示し、ヒンジ３を構成する各部品を図２〜図５に示す。
すなわち、この実施例の組立構造では、本体１の天板内側に設けた補強板１ａの下面にボルト１２を介してヒンジプレート１０を締結固定固定し、その先端部１０ａをメイン扉２の扉枠２ａの背面に開口した窓穴を通して扉内部に突き出し、次記のようにヒンジ軸１１を介してメイン扉２を枢支するようにしている。
【００１３】
すなわち、メイン扉２の内側上端部には、厚肉鋼板を断面コ字形に曲げ加工して形成したヒンジカバー１３（図３参照）を溶接し、この位置でメイン扉２の内側に差し込んだヒンジプレート１０の先端部を上下から挟むように覆っている。
なお、図３（ａ），（ｂ）  において、１３ａは後記するヒンジ軸（ボルト）１１のねじ穴、１３ｂはヒンジカバー１３をメイン扉２の扉枠に溶接する作業用の穴である。
そして、ヒンジ軸１１としてボルトをヒンジカバー１３の下面側からねじ込み、このボルトをヒンジプレート１０の先端部１０ａに穿孔した軸穴１０ｂ（図２参照）に通してヒンジ結合している。また、前記軸穴１０ｂはヒンジ軸１１の太さよりも径大な穴とし、ヒンジ軸１１の軸部外周に遊嵌した補強カラー１４をヒンジプレート１０の軸穴１０ｂに嵌挿している。この補強カラー１４は、ヒンジ軸１１としてのボルトの軸部がヒンジプレート１０に直接擦れ合って損耗するのを防ぐともに、グラインダーなどの工具を使ってヒンジ軸１１を切断しようとする破壊行為からヒンジ軸１１を防護するものであり、あらかじめ高周波焼入れを施して表面を硬化しておくようにする。
【００１４】
さらに、図示実施例の構造では、ヒンジ軸１１の下方に排水樋兼用の防盗カバー１５を備えている。この排水樋兼用の防盗カバー１５は、本体１とメイン扉２との間の隙間から浸入し、ヒンジプレート１０，ヒンジ軸１１を伝わって扉内部に滴下する雨水を受けて外部に排水する排水樋の役目と、メイン扉２のディスプレイ室５の前面に配した電照板５ａを破ってヒンジ３を破壊しようとする行為に対するガード部材の役目を果たすものであって、図４に示すような形状になり、ヒンジ３の下面を覆い隠すように配置した上で、その先端樋部１５ａを図１で示すようにメイン扉２の後部側に引出し、後端の上面が樋状に形成された扉枠２ａの上に重ねてねじ止めされている。
【００１５】
次に、前記ヒンジ構造の機能について説明する。すなわち、上部側ヒンジ３を構成するヒンジプレート１０，ヒンジ軸１１などの各部材は、本体１およびメイン扉２の内側に組み込まれていて外部には露呈してない。しかも、メイン扉２の内側に突き出したヒンジプレート１０，およびヒンジプレート１０の軸穴１０ａに通したヒンジ軸１１は上下から堅牢なヒンジカバー１３で覆われており、さらにヒンジ軸１１の外周が補強カラー１４で防護されている。加えて、ヒンジ３の下方には排水樋兼用の防盗カバー１５を配して下面側を覆い隠している。
これにより、上部側のヒンジ３を狙ってバール，グラインダー，電動鋸などの工具を使ってヒンジ軸１１を抜き取り，切断して破壊し、本体１からメイン扉２を取り外して機内から金銭を盗み出す手口の盗難に対して高い防盗性を確保することができる。
【００１６】
なお、メイン扉２を閉じた状態，および扉を開いた状態をそれぞれ図５，図６に示す。
【００１７】
【発明の効果】
以上述べたように、本発明の構成によれば次記の効果を奏する。
（１）  自動販売機の本体前面に配した片開き式メイン扉を、本体の天板側に固定したヒンジプレート，該ヒンジプレートの軸穴に通してメイン扉に固定したヒンジ軸を介して枢支する扉用ヒンジ装置において、前記ヒンジプレートを本体の内側に固定してその先端部をメイン扉の内側に引き込むとともに、メイン扉の内側には前記ヒンジプレートの先端部を上下から覆う断面コ字形のヒンジカバーを溶接し、かつヒンジ軸をボルトとした上で、前記ヒンジカバーにボルトをねじ込み固定してメイン扉を枢支した構成（請求項１）により、
例えメイン扉の扉板，あるいはディスプレイ室の電照板が破られてヒンジ構造が剥き出しになったとしても、ヒンジプレートの先端部およびヒンジ軸の周囲が堅牢なヒンジプレートによりガードされているので、グラインダー，電動鋸などで簡単に切断することができず、かつヒンジ軸をボルトとしてヒンジカバーにねじ込み固定したので、バールなど使っても簡単に抜き取れない。こによりヒンジを狙った不正な破壊行為に対して堅牢で高いと防盗性を確保できる。
【００１８】
（２）  また、ヒンジ軸のボルト外周に補強カラーを遊嵌し、該補強カラーをヒンジプレートの先端部に穿孔した軸穴に嵌挿してその上下面をヒンジカバーで覆い（請求項２）、さらにこの補強カラーを焼入れ表面硬化処理する（請求項３）ことにより、例えヒンジカバーの上下板の間にグラインダー，電動鋸などを差し込んでヒンジ軸を切断しようとしても、刃先が補強カラーに当たって空回するのでヒンジ軸は切断されず、さらに補強カラーを焼入れ表面硬化処理しておくことで安全性がより一層高まる。
（３）  さらに、メイン扉に、ヒンジ軸を伝わって扉内に滴下するドレンを受けて外部に導く排水樋兼用の防盗カバーを設ける（請求項４）ことにより、外部から浸入してヒンジ軸から扉内方に滴下する雨水の排水機能確保と併せて、メイン扉のディスプレイ室の電照板が破ぶられても、防盗カバーが邪魔をしてヒンジを簡単に破壊することができず、これにより防盗性の強化が図れる。
【図面の簡単な説明】
【図１】本発明の実施例に対応する上部側ヒンジを自動販売機に装着した状態を表すヒンジ組立構造の側視断面図
【図２】図１におけるヒンジプレートの平面図
【図３】図１におけるヒンジカバーの構造図で、（ａ），（ｂ）  はそれぞれ平面図，および側面図
【図４】図１における排水樋兼用の防盗カバーの構成斜視図
【図５】図１でメイン扉を閉じた状態を表す平面図
【図６】図１でメイン扉を開いた状態を表す平面図
【図７】自動販売機の外観図で、（ａ），（ｂ），（ｃ）  はそれぞれ正面図，側面図，および上面図
【図８】図７における上部側ヒンジの従来における組立構造図で、（ａ），（ｂ）  はそれぞれ上面図，側面図
【符号の説明】
１    自動販売機の本体
２    メイン扉
２ａ  扉枠
３    上部側ヒンジ
１０    ヒンジプレート
１０ａ  前端部
１０ｂ  軸穴
１１    ヒンジ軸（ボルト）
１３    ヒンジカバー
１４    補強カラー
１５    排水樋兼用の防盗カバー
【図１】
2004213513.tif 000003
【図２】
2004213513.tif 000004
【図３】
2004213513.tif 000005
【図４】
2004213513.tif 000006
【図５】
2004213513.tif 000007
【図６】
2004213513.tif 000008
【図７】
2004213513.tif 000009
【図８】
2004213513.tif 000010